(57)【特許請求の範囲】
【請求項１】
電気的な光源を点灯させる点灯回路においてスイッチング素子を周期的にオンオフ駆動する点灯回路用駆動装置であって、
スイッチング素子に接続される２個の出力端子と、動作の種別を指示する電気信号が入力される設定端子と、
発振用コンデンサを有し、発振用コンデンサの両端電圧に応じて発振用コンデンサの充放電を切り替えるとともに出力のレベルを切り替えることでオンデューティが５０％の矩形波を出力する発振部と、
発振部の出力レベルに一対一に対応するとともに出力端子に一対一に対応し矩形波を出力する２個の駆動信号生成回路と、
出力がＨレベルである駆動信号生成回路に対応する出力端子に接続されたスイッチング素子をオン制御し出力がＬレベルである駆動信号生成回路に対応する出力端子に接続されたスイッチング素子をオフ制御するように各スイッチング素子をオンオフ駆動する駆動部とを備え、
各駆動信号生成回路は、それぞれ、遅れ生成用コンデンサと、発振部の出力レベルが一方の出力レベルであって駆動信号生成回路毎に異なる一方の出力レベルとなったときに遅れ生成用コンデンサの充電を開始するとともに発振部の出力レベルが他方の出力レベルである期間に遅れ生成用コンデンサを放電させる充放電回路と、遅れ生成用コンデンサの両端電圧が上昇して所定電圧に達したときから発振部の出力レベルが他方の出力レベルとなるまでの期間には出力をＨレベルとし、その他の期間には出力をＬレベルとする出力回路とを有し、
設定端子に入力される電気信号に応じて、発振部における発振用コンデンサの充放電電流と、各駆動信号生成回路における遅れ生成用コンデンサの充電電流との少なくとも一方を変化させる動作切換手段を備え、
設定端子に入力される電気信号に応じて出力端子への出力を直流点灯光源用と放電灯用との一方に択一的に切り替えることを特徴とする点灯回路用駆動装置。
【請求項２】
請求項１記載の点灯回路用駆動装置と、点灯回路用駆動装置によって周期的にオンオフ駆動されるスイッチング素子を含み電気的な光源に対して点灯用の電力を供給する点灯回路とを備えることを特徴とする照明装置。
【請求項３】
点灯回路は、直流電源から供給された直流電力を電気的な光源の点灯用の電力に変換するものであって、直流電源の出力端間に接続されてそれぞれ駆動部によってオンオフ駆動される２個のスイッチング素子の直列回路と、前記２個のスイッチング素子の一方に流れる電流であるスイッチング電流を検出する電流検出手段とを備え、
駆動装置は電流検出手段の出力が入力される電流入力端子を有し、
発振部は、電流入力端子からの入力に応じて出力の周波数を変化させることを特徴とする請求項２記載の照明装置。
【発明の詳細な説明】
【技術分野】
【０００１】
本発明は、点灯回路用駆動装置及び照明装置に関するものである。
【背景技術】
【０００２】
従来から、放電灯に交流電力を供給して点灯させる点灯回路（以下、「交流型の点灯回路」と呼ぶ。）であるハーフブリッジ形のインバータ回路のスイッチング素子を駆動する駆動装置が提供されている（例えば、特許文献１参照）。すなわち、上記のインバータ回路は、直流電源の出力端間に接続された２個のスイッチング素子（例えばＭＯＳＦＥＴ）の直列回路と、放電灯を含み一方のスイッチング素子の両端間に接続された共振回路とを備える。上記の駆動装置は、上記２個のスイッチング素子を交互にオンオフ駆動することで、上記の共振回路の共振で発生した交流電力を放電灯に供給させる。
【０００３】
一方、上記のように交流電力により点灯される放電灯以外の電気的光源としては、直流電力を出力する点灯回路（以下、「直流型の点灯回路」と呼ぶ。）により点灯される電気的光源（以下、「直流点灯光源」と呼ぶ。）がある。直流点灯光源としては、例えば発光ダイオードや有機ＥＬなどがある。上記のような直流点灯光源を点灯させる直流型の点灯回路としては、例えばバックコンバータのように周期的にオンオフ駆動されるスイッチング素子を含む直流電源回路が用いられる。
【先行技術文献】
【特許文献】
【０００４】
【特許文献１】特表２００９−５１２１６５号公報
【発明の概要】
【発明が解決しようとする課題】
【０００５】
直流型の点灯回路では、交流型の点灯回路よりもスイッチング素子のオンデューティが小さくされたり、回路を流れる電流のゼロクロスの検出に応じたオンオフ制御といったように交流型の点灯回路の場合とは全く異なるオンオフ制御が行われたりするので、交流型の点灯回路と直流型の点灯回路とで、スイッチング素子を駆動する駆動装置をそのまま流用することは、通常はできない。
【０００６】
しかしながら、直流点灯光源が照明用の光源としては殆ど普及していない現状では、直流点灯光源専用の駆動装置を製造しようとした場合、生産数が少なくなることにより、放電灯用の駆動装置に比べて比較的に製造コストが高くなってしまう。
【０００７】
本発明は、上記事由に鑑みて為されたものであり、その目的は、直流点灯光源用と放電灯用との両方で使用可能な点灯回路用駆動装置及び該点灯回路用駆動装置を用いた照明装置を提供することにある。
【課題を解決するための手段】
【０００８】
請求項１の発明は、電気的な光源を点灯させる点灯回路においてスイッチング素子を周期的にオンオフ駆動する点灯回路用駆動装置であって、スイッチング素子に接続される２個の出力端子と、動作の種別を指示する電気信号が入力される設定端子と、発振用コンデンサを有し、発振用コンデンサの両端電圧に応じて発振用コンデンサの充放電を切り替えるとともに出力のレベルを切り替えることでオンデューティが５０％の矩形波を出力する発振部と、発振部の出力レベルに一対一に対応するとともに出力端子に一対一に対応し矩形波を出力する２個の駆動信号生成回路と、出力がＨレベルである駆動信号生成回路に対応する出力端子に接続されたスイッチング素子をオン制御し出力がＬレベルである駆動信号生成回路に対応する出力端子に接続されたスイッチング素子をオフ制御するように各スイッチング素子をオンオフ駆動する駆動部とを備え、各駆動信号生成回路は、それぞれ、遅れ生成用コンデンサと、発振部の出力レベルが一方の出力レベルであって駆動信号生成回路毎に異なる一方の出力レベルとなったときに遅れ生成用コンデンサの充電を開始するとともに発振部の出力レベルが他方の出力レベルである期間に遅れ生成用コンデンサを放電させる充放電回路と、遅れ生成用コンデンサの両端電圧が上昇して所定電圧に達したときから発振部の出力レベルが他方の出力レベルとなるまでの期間には出力をＨレベルとし、その他の期間には出力をＬレベルとする出力回路とを有し、設定端子に入力される電気信号に応じて、発振部における発振用コンデンサの充放電電流と、各駆動信号生成回路における遅れ生成用コンデンサの充電電流との少なくとも一方を変化させる動作切換手段を備え、設定端子に入力される電気信号に応じて出力端子への出力を直流点灯光源用と放電灯用との一方に択一的に切り替えることを特徴とする。
【０００９】
この発明によれば、設定端子への入力を切り替えることで、放電灯用と直流点灯光源用とのいずれにも用いることができるから、直流点灯光源専用の点灯回路用駆動装置に比べ、生産量の増加による製造コストの低減が可能である。
【００１１】
請求項２の発明は、請求項１記載の点灯回路用駆動装置と、点灯回路用駆動装置によって周期的にオンオフ駆動されるスイッチング素子を含み電気的な光源に対して点灯用の電力を供給する点灯回路とを備えることを特徴とする。
【００１２】
請求項３の発明は、請求項２の発明において、点灯回路は、直流電源から供給された直流電力を電気的な光源の点灯用の電力に変換するものであって、直流電源の出力端間に接続されてそれぞれ駆動部によってオンオフ駆動される２個のスイッチング素子の直列回路と、前記２個のスイッチング素子の一方に流れる電流であるスイッチング電流を検出する電流検出手段とを備え、駆動装置は電流検出手段の出力が入力される電流入力端子を有し、発振部は、電流入力端子からの入力に応じて出力の周波数を変化させることを特徴とする。
【発明の効果】
【００１３】
請求項１の発明によれば、電気的な光源を点灯させる点灯回路においてスイッチング素子を周期的にオンオフ駆動する点灯回路用駆動装置であって、スイッチング素子に接続される出力端子と、動作の種別を指示する電気信号が入力される設定端子とを有し、設定端子に入力される電気信号に応じて出力端子への出力を直流点灯光源用と放電灯用との一方に択一的に切り替えるので、設定端子への入力を切り替えることで、放電灯用と直流点灯光源用とのいずれにも用いることができるから、直流点灯光源専用の点灯回路用駆動装置に比べ、生産量の増加による製造コストの低減が可能である。
【図面の簡単な説明】
【００１４】
【図１】本発明の実施形態１を示す回路ブロック図である。
【図２】同上を用いて放電灯を光源とした照明装置の一例を示す回路ブロック図である。
【図３】同上において発振用コンデンサの両端電圧（Ｃ１０１電圧）と発振部の出力電圧（ＣＰ１０１出力）と第２駆動信号の電圧値（１０５ｂ出力）と第１駆動信号の電圧値（１０５ａ出力）との時間変化の一例を示す説明図である。
【図４】同上において発振用コンデンサの両端電圧（Ｃ１０１電圧）と発振部の出力電圧（ＣＰ１０１出力）と第２駆動信号の電圧値（１０５ｂ出力）と第１駆動信号の電圧値（１０５ａ出力）との時間変化の別の例を示す説明図である。
【図５】同上における駆動信号生成部を示す回路ブロック図である。
【図６】（ａ）（ｂ）はそれぞれ同上における設定部を示す回路ブロック図であり、（ａ）は光源として放電灯が用いられる場合を示し、（ｂ）は光源として直流点灯光源が用いられる場合を示す。
【図７】図２の例において第２駆動信号の電圧値（Ｌｏｕｔ出力）と第１駆動信号の電圧値（Ｈｏｕｔ出力）と第１スイッチング素子Ｑ１に流れる電流と第２スイッチング素子Ｑ２に流れる電流との時間変化を示す説明図である。
【図８】図２の例において放電灯の点灯が開始される際の電源端子Ｖｃｃの電圧と基準電圧端子Ｖｒｅｇの電圧と周波数制御端子Ｃｔｉｎの電圧と動作周波数と各駆動信号のオンデューティとの時間変化を示す説明図である。
【図９】同上を用いて光源を直流点灯光源とした照明装置の例を示す回路ブロック図である。
【図１０】図９の例において第２スイッチング素子のゲートへの出力電圧（Ｌｏｕｔ出力）と第１スイッチング素子のゲートへの出力電圧（Ｈｏｕｔ出力）と第１スイッチング素子Ｑ１に流れる電流と第２スイッチング素子Ｑ２に流れる電流との時間変化を示す説明図である。
【図１１】図９の例において第１スイッチング素子のゲートへの出力電圧（Ｈｏｕｔ出力）とインダクタＬ２に流れる電流との時間変化の例を示す説明図である。
【図１２】（ａ）は図２の照明装置を構成する回路部品のプリント配線板上における配置の例を示す説明図であり、（ｂ）は図９の照明装置を構成する回路部品のプリント配線板上における配置の例を示す説明図である。
【図１３】同上を用いて光源を直流点灯光源とした照明装置の別の例を示す回路ブロック図である。
【図１４】本発明の実施形態２を示す回路ブロック図である。
【図１５】同上において設定部の出力がＨレベルである期間の発振用コンデンサの両端電圧（Ｃ１０１電圧）と発振部の出力電圧（ＣＰ１０１出力）と第１駆動信号生成回路におけるコンデンサの両端電圧（Ｃ１０４電圧）と第１駆動信号生成回路の出力電圧（ＣＰ１０２出力）との時間変化を示す説明図である。
【図１６】同上において設定部の出力がＬレベルである期間の発振用コンデンサの両端電圧（Ｃ１０１電圧）と発振部の出力電圧（ＣＰ１０１出力）と第１駆動信号生成回路におけるコンデンサの両端電圧（Ｃ１０４電圧）と第１駆動信号生成回路の出力電圧（ＣＰ１０２出力）との時間変化を示す説明図である。
【図１７】同上を図１３の照明装置に用いた場合において第１スイッチング素子のゲートへの出力電圧（Ｈｏｕｔ出力）とインダクタＬ２に流れる電流との時間変化の例を示す説明図である。
【図１８】本発明の実施形態３を示す回路ブロック図である。
【図１９】本発明の実施形態４を示す回路ブロック図である。
【図２０】同上を用いて放電灯を光源とした照明装置の一例を示す回路ブロック図である。
【図２１】同上を用いて光源を直流点灯光源とした照明装置の例を示す回路ブロック図である。
【図２２】同上を用いて放電灯を光源とした照明装置の別の例を示す回路ブロック図である。
【図２３】本発明の実施形態５を示す回路ブロック図である。
【図２４】同上を用いて光源を直流点灯光源とした照明装置の例を示す回路ブロック図である。
【図２５】図２４の例において、第１スイッチング素子のゲートへの出力電圧（Ｈｏｕｔ出力）と、第２スイッチング素子のゲートへの出力電圧（Ｌｏｕｔ出力）と、発振用コンデンサの両端電圧（Ｃ１０１電圧）と、第３否定回路の出力電圧（ＩＮＶ０３出力）と、インダクタの二次巻線の両端電圧（Ｌ２二次巻線電圧）と、ワンショット部への入力電圧（ＣＰ１０４出力）と、ワンショット部の出力電圧と、インダクタに流れる電流（Ｌ２電流）との時間変化を示す説明図である。
【図２６】本発明の実施形態６を示す回路ブロック図である。
【図２７】本発明の実施形態７を示す回路ブロック図である。
【図２８】同上において光源の累積点灯時間と調光比との関係の一例を示す説明図である。
【図２９】本発明の実施形態８を示す回路ブロック図である。
【図３０】本発明の実施形態９を示す回路ブロック図である。
【図３１】同上の要部を示す回路ブロック図である。
【図３２】本発明の実施形態１０を示す回路ブロック図である。
【図３３】同上を収納するケースの一例を示す平面図である。
【図３４】同上を用いた照明器具の一例を示す斜視図である。
【図３５】同上に対応した直流点灯光源の一例を示す斜視図である。
【図３６】本発明の実施形態１１の駆動装置を示す回路ブロック図である。
【図３７】同上を示す回路ブロック図である。
【図３８】同上の変更例において、第１スイッチング素子のゲートへの出力電圧（Ｈｏｕｔ出力）と、第２スイッチング素子のゲートへの出力電圧（Ｌｏｕｔ出力）と、インダクタに流れる電流（Ｌ１電流）との時間変化を示す説明図である。
【発明を実施するための形態】
【００１５】
以下、本発明を実施するための最良の形態について、図面を参照しながら説明する。
【００１６】
（実施形態１）
図２に示すように、本実施形態の駆動装置１は、１チップの集積回路で構成されており、放電灯Ｌａを点灯させるハーフブリッジ形のインバータ回路においては直列回路（以下、「スイッチング回路」と呼ぶ。）３を構成する２個のスイッチング素子Ｑ１，Ｑ２を交互にオンさせるように周期的にオンオフ駆動する矩形波状の駆動信号を出力するものである。なお、図２は、放電灯Ｌａが光源として用いられる場合における照明装置の例を示している。上記のスイッチング素子Ｑ１，Ｑ２は、それぞれＭＯＳＦＥＴからなり、一端には直流電源２からの直流電圧が入力されるとともに他端がグランドに接続された直列回路を構成している。そして、駆動装置１は、ハイサイド（高電圧側）のスイッチング素子（以下、「第１スイッチング素子」と呼ぶ。）Ｑ１のゲートに抵抗を介して接続される第１出力端子Ｈｏｕｔと、ローサイド（低電圧側）のスイッチング素子（以下、「第２スイッチング素子」と呼ぶ。）Ｑ２のゲートに抵抗を介して接続される第２出力端子Ｌｏｕｔと、上記２個のスイッチング素子Ｑ１，Ｑ２の接続点に接続される中間端子Ｈｇｎｄとを有する。
【００１７】
さらに、駆動装置１は、図１に示すように、直流電圧が外部から入力される電源端子Ｖｃｃと、電源端子Ｖｃｃに入力された直流電圧を電源として所定の直流電圧である基準電圧を生成する基準電圧生成部１０１と、電源端子Ｖｃｃへの直流電圧の入力が開始されたときに基準電圧生成部１０１の動作を開始させる電源検出部１０２と、基準電圧生成部１０１が出力した基準電圧を外部に出力するための基準電圧端子Ｖｒｅｇとを有する。基準電圧生成部１０１は例えばツェナーダイオードを用いた周知の定電圧回路で構成することができ、基準電圧は駆動装置１の各部の電源として用いられる。また、駆動装置１は、アノードが電源端子Ｖｃｃに接続されたダイオードＤ１０１のカソードに接続された第２電源端子ＨＶｃｃを有する。第２電源端子ＨＶｃｃは、外付けされたコンデンサＣ１０３を介して中間端子Ｈｇｎｄに接続される。図２の例では、直流電源２からの電力供給が開始された直後に電源端子Ｖｃｃに直流電圧を入力する起動回路７と、例えばコンデンサとダイオードとで構成されスイッチング素子Ｑ１，Ｑ２の接続点に接続されて駆動装置１によりスイッチング素子Ｑ１，Ｑ２の駆動が開始された後に所定の直流電圧を生成して電源端子Ｖｃｃに入力する電源回路６とが、それぞれ電源端子Ｖｃｃに接続されている。
【００１８】
また、駆動装置１は、基準電圧を電源として周期的な矩形波を生成する発振部１０３と、発振部１０３に接続された発振制御端子Ｖｏｓｃとを有する。発振制御端子Ｖｏｓｃは、駆動装置１の外部において抵抗Ｒ１０１，Ｒ１０２，Ｒ１０３を介してグランドに接続される。発振部１０３は、各入力端にそれぞれ基準電圧が入力され一方の出力端が発振用コンデンサＣ１０１を介してグランドに接続された充電用ミラー回路Ｍ１０１と、充電用ミラー回路Ｍ１０１の他方の出力端と発振制御端子Ｖｏｓｃとの間に接続されたｎ型チャネルの電界効果トランジスタからなる充電用スイッチング素子Ｑｃと、出力端子が充電用スイッチング素子Ｑｃのゲートに接続され、非反転入力端子に所定の第１参照電圧Ｖｒｅｆ１が入力され、反転入力端子は発振制御端子Ｖｏｓｃに接続されたオペアンプＡＭＰ１０１と、ゲートが充電用ミラー回路Ｍ１０１の上記他方の出力端に接続されたｐ型チャネルの電界効果トランジスタからなる放電用スイッチング素子Ｑｄと、一方の入力端子は発振用コンデンサＣ１０１を介してグランドに接続されるとともに他方の入力端子には放電用スイッチング素子Ｑｄを介して基準電圧が入力され各出力端子がそれぞれグランドに接続された放電用ミラー回路Ｍ１０２と、放電用ミラー回路Ｍ１０２の上記他方の入力端子と出力端子との間に接続されたｎ型チャネルの電界効果トランジスタからなる第２放電用スイッチング素子Ｑ１０１と、反転入力端子に発振用コンデンサＣ１０１の両端電圧が入力されるとともに出力端子が第２放電用スイッチング素子Ｑ１０１に接続されたコンパレータＣＰ１０１と、コンパレータＣＰ１０１の出力に応じた参照電圧Ｖｒｅｆ３，Ｖｒｅｆ４をコンパレータＣＰ１０１の非反転入力端子に入力するマルチプレクサＭＰとを備える。マルチプレクサＭＰは、例えばトランスファゲートを用いて構成され、コンパレータＣＰ１０１の出力がＨレベルである期間には所定の第３参照電圧Ｖｒｅｆ３をコンパレータＣＰ１０１の非反転入力端子に入力し、コンパレータＣＰ１０１の出力がＬレベルである期間には第３参照電圧Ｖｒｅｆ３よりも低い所定の第４参照電圧Ｖｒｅｆ４をコンパレータＣＰ１０１の非反転入力端子に入力する。
【００１９】
発振部１０３の動作を説明する。発振用コンデンサＣ１０１が充分に充電されていない状態では、コンパレータＣＰ１０１の出力がＨレベルとなることにより、コンパレータＣＰ１０１の非反転入力端子には第３参照電圧Ｖｒｅｆ３が入力され、第２放電用スイッチング素子Ｑ１０１はオンされる。この間、放電用ミラー回路Ｍ１０２に並列に接続された第２放電用スイッチング素子Ｑ１０１のオンにより、放電用ミラー回路Ｍ１０２を介した発振用コンデンサＣ１０１の放電は抑えられ、充電用ミラー回路Ｍ１０１を介した充電により発振用コンデンサＣ１０１の両端電圧は徐々に上昇する。やがて発振用コンデンサＣ０１の両端電圧が第３参照電圧Ｖｒｅｆ３に達すると、コンパレータＣＰ１０１の出力がＬレベルとなり、コンパレータＣＰ１０１の非反転入力端子への入力電圧が第４参照電圧Ｖｒｅｆ４に低下するとともに、第２放電用スイッチング素子Ｑ１０１がオフされる。すると、充電用ミラー回路Ｍ１０１を介した充電電流よりも放電用ミラー回路Ｍ１０２を介した放電電流が多くなることにより、発振用コンデンサＣ１０１の両端電圧は徐々に低下する。やがて発振用コンデンサＣ１０１の両端電圧が第４参照電圧Ｖｒｅｆ４にまで低下すると、コンパレータＣＰ１０１の出力がＬレベルとなり、コンパレータＣＰ１０１の非反転入力端子への入力電圧は第３参照電圧Ｖｒｅｆ３に上昇し、第２放電用スイッチング素子Ｑ１０１がオンされて、発振用コンデンサＣ１０１の両端電圧が再び上昇し始める。以下、同様の動作を繰り返す。以上の動作により、図３及び図４に示すように、発振用コンデンサＣ１０１の両端電圧は第３参照電圧Ｖｒｅｆ３と第４参照電圧Ｖｒｅｆ４との間で上下を繰り返す三角波形状となる。また、コンパレータＣＰ１０１の出力電圧はオンデューティが５０％であるような矩形波となり、これが発振部１０３の出力となる。発振部１０３の各ミラー回路Ｍ１０１，Ｍ１０２に流れる電流が多いほど、発振用コンデンサＣ１０１の充放電電流が増加することにより、発振部１０３の出力の周波数は高くなる。
【００２０】
また、駆動装置１は、発振部１０３の出力（すなわちコンパレータＣＰ１０１の出力）の周波数で交互にＨレベルとなるような２個の矩形波状の駆動信号を生成する駆動信号生成部１０５と、駆動信号生成部１０５が生成した駆動信号を用いて各スイッチング素子Ｑ１，Ｑ２をそれぞれ駆動する駆動部１０６とを備える。
【００２１】
駆動部１０６は、一方の駆動信号（以下、「第１駆動信号」と呼ぶ。）の電圧値に応じた電位差を第１出力端子Ｈｏｕｔと中間端子Ｈｇｎｄとの間に発生させることで第１スイッチング素子Ｑ１を駆動する第１駆動回路１０６ａと、他方の駆動信号（以下、「第２駆動信号」と呼ぶ。）の電圧値に応じた電位差を第２出力端子Ｌｏｕｔとグランドとの間に発生させることで第２スイッチング素子Ｑ２を駆動する第２駆動回路１０６ｂとからなる。
【００２２】
また、駆動信号生成部１０５は、第１スイッチング素子Ｑ１と第２スイッチング素子Ｑ２とが同時にオンすることがないように、２個の駆動信号が同時にＬレベルとなるような期間（いわゆるデッドタイム）ｔｄを発生させる。具体的には、駆動信号生成部１０５は、図５に示すように、発振部１０３の出力をそのまま入力されて第１駆動信号を生成する第１駆動信号生成回路１０５ａと、発振部１０３の出力を否定回路ＩＮＶ０１を介して入力されて第２駆動信号を生成する第２駆動信号生成回路１０５ｂとを備える。なお、第２駆動信号生成回路１０５ｂに関しては、回路については第１駆動信号生成回路１０５ａと同様であるので、詳細な図示は省略している。各駆動信号生成回路１０５ａ，１０５ｂは、それぞれ、定電流源Ｉｒｅｆ１により充電される遅れ生成用コンデンサＣ１０４と、遅れ生成用コンデンサＣ１０４に並列に接続されたｎ型チャネルの電界効果トランジスタからなりゲートがそのまま又は否定回路ＩＮＶ０１を介して発振部１０３に接続されたスイッチング素子Ｑ１０５と、非反転入力端子に遅れ生成用コンデンサＣ１０４の充電電圧が入力され反転入力端子に所定の第５参照電圧Ｖｒｅｆ５が入力され出力端子が駆動部１０６に接続されたコンパレータＣＰ１０２とを備える。すなわち、図３及び図４に示すように、駆動信号の立ち上がりのタイミングを、発振部１０３の出力の切り替わりのタイミングに対して、遅れ生成用コンデンサＣ１０４の容量値と定電流源Ｉｒｅｆ１の電流値と第５参照電圧Ｖｒｅｆ５とに応じた所定時間だけ遅らせることで、該所定時間分のデッドタイムｔｄを発生させるのであり、定電流源Ｉｒｅｆ１とスイッチング素子Ｑ１０５とが請求項における充放電回路を構成し、コンパレータＣＰ１０２が請求項における出力回路を構成している。
【００２３】
また、駆動装置１は、放電灯用の動作か直流点灯光源用の動作かといった動作の種別の設定に用いられる設定端子Ｖｓｅｌと、設定端子Ｖｓｅｌの電位に応じた出力を生成する設定部１０８と、設定部１０８の出力に応じて発振部１０３の出力の周波数（すなわち各駆動信号の周波数。以下、「動作周波数」と呼ぶ。）を制御する第１制御部１０７と、設定部１０８の出力に応じて発振部１０３を制御する第２制御部１０４とを備える。
【００２４】
詳しく説明すると、設定部１０８は、図６（ａ）（ｂ）に示すように、非反転入力端子に基準電圧よりも低い所定の第６参照電圧Ｖｒｅｆ６が入力されて反転入力端子が設定端子Ｖｓｅｌに接続されたコンパレータＣＰ１０３からなる。すなわち、図６（ａ）に示すように設定端子Ｖｓｅｌがグランドに接続されていれば設定部１０８の出力はＨレベルとなり、図６（ｂ）に示すように設定端子Ｖｓｅｌが適宜の抵抗を介して基準電圧端子Ｖｒｅｇに接続されていれば設定部１０８の出力はＬレベルとなるのであり、設定端子Ｖｓｅｌへの入力電圧（電気信号）によって動作の種別が指示されることになる。使用者は、例えば、設定端子Ｖｓｅｌとグランドとの間にジャンパピンを着脱することによって、設定端子Ｖｓｅｌへの入力電圧を切り替え、設定部１０８の出力を切り替えることができる。
【００２５】
また、駆動装置１は、それぞれ動作周波数の制御に用いられる周波数制御端子Ｃｔｉｎと、第１制御出力端子Ｐｒｅと、第２制御出力端子Ｓｔｒとを備える。各制御出力端子Ｐｒｅ，Ｓｔｒは、それぞれ、第１制御部１０７によってオンオフ駆動されるスイッチング素子Ｑ１０２，Ｑ１０３を介してグランドに接続されている。駆動装置１の外部において、各制御出力端子Ｐｒｅ，Ｓｔｒは、それぞれ、発振制御端子Ｖｏｓｃとグランドとの間に接続される抵抗Ｒ１０１，Ｒ１０２，Ｒ１０３の接続点に接続される。第１制御部１０７は、周波数制御端子Ｃｔｉｎの電圧に応じて、各スイッチング素子Ｑ１０２，Ｑ１０３をオンオフ駆動することにより、発振制御端子Ｖｏｓｃとグランドとの間の抵抗値を変化させることで、発振部１０３の充電用ミラー回路Ｍ１０１から発振制御端子Ｖｏｓｃに流れる電流を増減させ、これによって動作周波数を変化させる。
【００２６】
さらに、駆動装置１は、駆動信号のオンデューティの制御に用いられるデューティ制御端子Ｖｄｕｔｙを備える。デューティ制御端子Ｖｄｕｔｙは駆動装置１の外部において例えば抵抗Ｒ１０４を介してグランドに接続される。第２制御部１０４は、ｎチャネル型の電界効果トランジスタからなり一端が発振部１０３における充電用ミラー回路Ｍ１０１と充電用スイッチング素子Ｑｃとの接続点に接続され他端がデューティ制御端子Ｖｄｕｔｙに接続された第２充電用スイッチング素子Ｑｃ２と、出力端子が第２充電用スイッチング素子Ｑｃ２のゲートに接続され非反転入力端子に所定の第２参照電圧Ｖｒｅｆ２が入力されるとともに反転入力端子がデューティ制御端子Ｖｄｕｔｙに接続されたオペアンプＡＭＰ１０２と、第２充電用スイッチング素子Ｑｃ２のゲートとグランドとの間に接続され設定部１０８の出力によってオンオフ駆動される制御用スイッチング素子Ｑ１０４とを備える。すなわち、制御用スイッチング素子Ｑ１０４がオンされている期間には第２制御部１０４は設けられていないのと同様の状態になるが、制御用スイッチング素子Ｑ１０４がオフされている期間には第２制御部１０４は発振部１０３における発振用コンデンサＣ１０１の充放電電流を増加させることで動作周波数を高くする。そして、デューティ制御端子Ｖｄｕｔｙとグランドとの間に接続される抵抗Ｒ１０４の抵抗値が低いほど、上記の充放電電流の増加幅が大きくなることにより、動作周波数がより高くなる。本実施形態では、デッドタイムｔｄは動作周波数によらず一定であるので、図３の動作から図４の動作というように動作周波数が高くされること（つまり、周期Ｔｃが短くされること）は、各駆動信号のオンデューティがそれぞれ小さくされることを意味する。
【００２７】
以下、本実施形態の駆動装置１を用いた照明装置の構成及び動作について説明する。
【００２８】
まず、図２に示すように光源として熱陰極型の放電灯Ｌａが用いられる照明装置に上記の駆動装置１を用いた場合について説明する。図２の例では、第１スイッチング素子Ｑ１と第２スイッチング素子Ｑ２との接続点とグランドとの間には、放電灯Ｌａを含む共振回路４が接続されている。駆動装置１によって第１スイッチング素子Ｑ１と第２スイッチング素子Ｑ２とが交互にオンオフ駆動されると、共振回路４の共振により、直流電源２の直流電力が交流電力に変換されて放電灯Ｌａに供給され、これによって放電灯Ｌａが点灯する。このとき、第１スイッチング素子Ｑ１と第２スイッチング素子Ｑ２とにはそれぞれ図７に示すような電流が流れる。共振回路４について詳しく説明すると、放電灯Ｌａは、一方のフィラメントがグランドに接続され、他方のフィラメントがインダクタＬ１とコンデンサＣ２とを介してスイッチング素子Ｑ１，Ｑ２の接続点に接続されている。また、放電灯Ｌａのフィラメント間にはコンデンサＣ１が接続されている。さらに、図２の例では、放電灯Ｌａの点灯開始前に放電灯Ｌａの各フィラメントにそれぞれ電流を供給することで各フィラメントを予熱する予熱回路５が設けられている。予熱回路５は、一端がコンデンサＣ３を介してスイッチング素子Ｑ１，Ｑ２の接続点に接続され他端がグランドに接続された一次巻線と、それぞれ放電灯Ｌａの一方ずつのフィラメントの両端間に接続された２本の二次巻線とを有する予熱用トランスＴ１を備える。上記の共振回路４において放電灯Ｌａ以外の各回路部品と予熱回路５とは、第１スイッチング素子Ｑ１及び第２スイッチング素子Ｑ２とともに請求項における点灯回路を構成している。
【００２９】
上記の場合において、発振制御端子Ｖｏｓｃは、３個の抵抗Ｒ１０１，Ｒ１０２，Ｒ１０３を介してグランドに接続され、第１制御出力端子Ｐｒｅは上記３個の抵抗Ｒ１０１，Ｒ１０２，Ｒ１０３のうち高電圧側の２個の抵抗Ｒ１０１，Ｒ１０２の接続点に接続され、第２制御端子Ｓｔｒは上記３個の抵抗Ｒ１０１，Ｒ１０２，Ｒ１０３のうち低電圧側の２個の抵抗Ｒ１０２，Ｒ１０３の接続点に接続される。また、周波数制御端子ＣｔｉｎはコンデンサＣ１０２を介してグランドに接続される。さらに、図２や図６（ａ）のように設定端子Ｖｓｅｌがグランドに接続されることで設定部１０８の出力はＨレベルとされる。すなわち第２制御部１０４において制御用スイッチング素子Ｑ１０４はオンされるので、第２制御部１０４は動作に影響を与えない。
【００３０】
放電灯Ｌａの点灯が開始される際の本実施形態の動作を、図８を用いて説明する。詳細な図示はしないが直流電源２は周知の例えばブーストコンバータのような直流電源回路からなるものであって、電源がオンされると有限な時間をかけて所定電圧まで出力電圧が上昇し、その後は出力電圧を一定とする。電源検出部１０２は、電源端子Ｖｃｃへの入力電圧が所定の起動電圧Ｖａに達したときに、基準電圧生成部１０１から基準電圧端子Ｖｒｅｇ等への基準電圧の出力を開始させる。基準電圧生成部１０１から基準電圧の出力が開始されると、第１制御部１０７は、周波数制御端子Ｃｔｉｎへの定電流の出力によるコンデンサＣ１０２の充電の開始、並びに、周波数制御端子Ｃｔｉｎの電圧すなわちコンデンサＣ１０２の両端電圧の監視を開始する。ここで、コンデンサＣ１０２は電源がオフされる際又は電源がオンされた直後に放電されて放電灯Ｌａの始動毎にゼロからの充電を開始されるものである。そして、第１制御部１０７は、動作を開始してから周波数制御端子Ｃｔｉｎの電圧が所定の第１切替電圧Ｖｂに達するまでの予熱期間Ｔ１には、制御出力端子Ｐｒｅ，Ｓｔｒに接続されたスイッチング素子Ｑ１０２，Ｑ１０３の両方をオフ状態に維持することにより、発振制御端子Ｖｏｓｃとグランドとの間の抵抗値を最大に保ち、動作周波数を最も高い予熱周波数ｆ１とする。予熱期間Ｔ１中には放電灯Ｌａにおいて放電が開始されない程度に放電灯Ｌａへの出力電圧の振幅を小さくするように、予熱周波数ｆ１は共振回路４の共振周波数に対して充分に高くされており、予熱期間Ｔ１中には放電灯Ｌａの各フィラメントの予熱がなされる。次に、周波数制御端子Ｃｔｉｎの電圧が第１切替電圧Ｖｂに達してから、第１切替電圧Ｖｂよりも高い所定の第２切替電圧Ｖｃに達するまでの始動期間Ｔ２には、第１制御部１０７は、第１制御出力端子Ｐｒｅとグランドとの間に接続されたスイッチング素子Ｑ１０２をオフ状態に維持したまま、第２制御出力端子Ｓｔｒとグランドとの間に接続されたスイッチング素子Ｑ１０３をオンすることで、発振制御端子Ｖｏｓｃとグランドとの間の抵抗値を低下させ、動作周波数を２番目に高い始動周波数ｆ２とする。始動期間Ｔ２中には放電灯Ｌａにおいて放電が開始される程度に放電灯Ｌａへの出力電圧の振幅を大きくするように、始動周波数ｆ２は共振回路４の共振周波数に対して充分に近くされており、この始動期間Ｔ２中に放電灯Ｌａにおいて放電が開始されることで放電灯Ｌａの点灯が開始される。次に、周波数制御端子Ｃｔｉｎの電圧が第２切替電圧Ｖｃに達した後の定常期間Ｔ３には、動作周波数は最も低い定常周波数ｆ３とされ、これによって放電灯Ｌａの点灯が維持される。既に述べたように本実施形態では動作周波数が高くなるほど駆動信号のオンデューティが小さくなるので、上記動作により動作周波数が予熱周波数ｆ１、始動周波数ｆ２、定常周波数ｆ３と段階的に低くなるにつれて駆動信号のオンデューティは図８の最下段に示すように段階的に大きくなる。
【００３１】
次に、図９を用いて、光源として直流点灯光源９を用いる場合における、駆動装置１を用いた照明装置について説明する。ここで、直流点灯光源９は、両端間に直流電力を入力されて点灯するものであり、例えば、複数個の発光ダイオード９１（図３５参照）からなる直列回路を備える。直流点灯光源９には、上記のような発光ダイオード９１に代え、例えば有機ＥＬのような他の周知の発光素子を用いてもよい。なお、図２と共通する部分については説明は省略する。図２の例は、直流点灯光源９と、アノードが第１スイッチング素子Ｑ１と第２スイッチング素子Ｑ２との接続点に接続されたダイオードＤ１と、一端がダイオードＤ１のカソードに接続されるとともに他端が直流点灯光源９に接続されたインダクタＬ２と、直流点灯光源９との並列回路としてインダクタＬ２の上記他端とグランドとの間に接続されたコンデンサＣ４とからなる負荷回路８を備える。上記の照明装置の動作を説明すると、第１スイッチング素子Ｑ１がオンされている期間には直流電源２からの電流によりインダクタＬ２にエネルギーが蓄積され、第１スイッチング素子Ｑ１がオフされている期間にはインダクタＬ２を電源とする電流が第２スイッチング素子Ｑ２のオンオフによらず第２スイッチング素子Ｑ２の寄生ダイオードを介して流れることでインダクタＬ２のエネルギーが放出されるとともにコンデンサＣ４が充電される。上記動作が繰り返されることで、コンデンサＣ４の両端電圧は第１スイッチング素子Ｑ１のオンデューティに応じた電圧とされ、直流点灯光源９はコンデンサＣ４から直流電力を供給されることで点灯される。つまり、上記のダイオードＤ１とインダクタＬ２とコンデンサＣ４とは、第１スイッチング素子Ｑ１及び第２スイッチング素子Ｑ２とともに請求項における点灯回路を構成している。
【００３２】
上記の場合において、図６（ｂ）や図９のように設定端子Ｖｓｅｌは適宜の抵抗を介して基準電圧端子Ｖｒｅｇに接続されることで設定部１０８の出力はＬレベルとされる。すなわち第２制御部１０４において制御用スイッチング素子Ｑ１０４はオフされるので、第２制御部１０４の作用により、放電灯Ｌａの場合よりも各駆動信号のオンデューティはそれぞれ小さくされる。すなわち、第２制御部１０４が請求項における動作切換手段を構成している。第１スイッチング素子Ｑ１に流れる電流と第２スイッチング素子Ｑ２に流れる電流とはそれぞれ例えば図１０に示すようなものとなる。
【００３３】
また、発振制御端子Ｖｏｓｃは、２個の抵抗を介してグランドに接続され、第２制御端子Ｓｔｒのみが上記２個の抵抗の接続点に接続される。また、周波数制御端子Ｃｔｉｎは放電灯Ｌａの場合と同様にコンデンサＣ１０２を介してグランドに接続され、第１制御部１０７は上記のように設定部１０８の出力がＬレベルである期間には設定部１０８の出力がＨレベルである期間よりも周波数制御端子Ｃｔｉｎへの出力電流を多くすることで、始動後の周波数制御端子Ｃｔｉｎの電圧の安定を早める。負荷回路８のコンデンサＣ４への充電が開始された直後にはインダクタＬ２に流れる電流は例えば図１１に示すようなものとなる。上記動作により、始動時には各駆動信号のオンデューティはそれぞれ段階的に変化するから、最初からオンデューティが一定とされる場合に比べ、始動直後において負荷回路８のコンデンサＣ４が充分に充電されていない状態でインダクタＬ２に流れる電流が過剰に増加することを防ぐことができる。
【００３４】
上記構成によれば、設定端子Ｖｓｅｌへのジャンパピン等の接続の変更により、駆動装置１を放電灯用と直流点灯光源用とで共用とすることができるから、駆動装置１を直流点灯光源９の点灯回路専用とする場合に比べ、駆動装置１の製造量の増加による製造コストの低減が可能となる。
【００３５】
また、集積回路を用いることによる一般的な効果として、部品点数の削減や小型化が可能となる。
【００３６】
なお、各駆動信号のオンデューティは、上記のような３段階には限られず、例えば２段階としてもよい。
【００３７】
ここで、図１２（ａ）（ｂ）に、照明装置を構成する各回路部品のプリント配線板Ｐ上での配置の例を示す。図１２（ａ）は図２の照明装置の回路部品の配置を示し、図１２（ｂ）は図９の照明装置の回路部品の配置を示す。互いに共通する部分である直流電源２と駆動装置１とスイッチング素子Ｑ１，Ｑ２とのほか、図１２（ａ）の例におけるコンデンサＣ１，Ｃ２及びインダクタＬ１と、図１２（ｂ）の例におけるダイオードＤ１，コンデンサＣ４及びインダクタＬ２とのように、部品間の位置関係を互いに共通とすれば、実装用の装置やその動作の設定（具体的には、プログラムやパラメータ等）を共用とすることができる。
【００３８】
また、図９の変更例として、図１３に示すように、ダイオードＤ１を省略するとともに第２スイッチング素子Ｑ２のゲートをグランドに接続してもよい。図９の照明装置から図１３の照明装置への変更は、スイッチング素子Ｑ２のゲートとグランドとの間にジャンパピンを実装するとともにダイオードＤ１に代えてジャンパピンを実装することで実現することができる。
【００３９】
（実施形態２）
本実施形態の基本構成は実施形態１と共通であるので、共通する部分については説明を省略する。
【００４０】
実施形態１では動作周波数の変更がすなわち各駆動信号のオンデューティの変更となっていたのに対し、本実施形態では各駆動信号のオンデューティを動作周波数に対して独立して変更可能としたものである。
【００４１】
具体的に説明すると、本実施形態では、図１４に示すように、各駆動信号生成回路１０５ａ，１０５ｂ（第１駆動信号生成回路１０５ａについてのみ図示）にそれぞれ遅れ生成用コンデンサＣ１０４への充電電流を引き抜くカレントミラー回路Ｍ１０３が設けられ、第２制御部１０４が発振部１０３ではなく上記のカレントミラー回路Ｍ１０３の出力端に接続されている。これにより、設定部１０８の出力がＬレベルであって第２制御部１０４が動作している期間には、デューティ制御端子Ｖｄｕｔｙから流れる電流の分だけ遅れ生成用コンデンサＣ１０４の充電が遅くなるから、図１５から図１６への変化のようにコンパレータＣＰ１０２の出力（すなわち駆動信号）のオンデューティが小さくされる。
【００４２】
上記構成によれば、各駆動信号のオンデューティを動作周波数に対して独立して変更可能であることにより、実施形態１のように各駆動信号のオンデューティが動作周波数に対して独立して変更できない場合に比べ、設計の自由度が向上する。従って、直流点灯光源９を用いる図１３のような照明装置において、例えば図１１の例に比較した図１７の例のように、コンデンサＣ４の充電中にインダクタＬ２に流れる電流の最大値を低く抑えて各回路部品への電気的ストレスを低減するような設計が容易となる。
【００４３】
（実施形態３）
本実施形態の基本構成は実施形態２と共通であるので、共通する部分については説明を省略する。
【００４４】
本実施形態では、図１８に示すように、発振部１０３の充電用スイッチング素子Ｑｃのゲートが、ｎチャネル型の電界効果トランジスタからなる第１切替スイッチング素子Ｑ１０６を介してグランドに接続されている。この第１切替スイッチング素子Ｑ１０６は、否定回路ＩＮＶ０２を介して設定部１０８に接続されている。
【００４５】
さらに、本実施形態の駆動装置１は、発振部１０３の充電用ミラー回路Ｍ１０１と充電用スイッチング素子Ｑｃとの接続点に一方の入力端が接続され、他方の入力端は定電流源Ｉｒｅｆ２に接続されるとともに、各出力端がそれぞれグランドに接続された第２充電用ミラー回路Ｍ１０４と、ｎチャネル型の電界効果トランジスタからなり第２充電用ミラー回路Ｍ１０４に並列に接続されるとともにゲートが設定部１０８に接続された第２切替スイッチング素子Ｑ１０７とを備える。
【００４６】
すなわち、光源として放電灯Ｌａが用いられる際には、設定部１０８の出力がＨレベルとされ、第１切替スイッチング素子Ｑ１０６がオフされる一方で第２切替スイッチング素子Ｑ１０７がオンされることで、第２充電用ミラー回路Ｍ１０４には電流が流れず、実施形態１や実施形態２と同様の動作となる。
【００４７】
また、光源として直流点灯光源９が用いられる際には、設定部１０８の出力がＬレベルとされ、第１切替スイッチング素子Ｑ１０６がオンされる一方で第２切替スイッチング素子Ｑ１０７がオフされることで、発振制御端子Ｖｏｓｃとグランドとの間の抵抗値や第１制御部１０７の動作に関わりなく、動作周波数が定電流源Ｉｒｅｆ２の電流値に応じた一定値に維持される。
【００４８】
上記構成によれば、光源として直流点灯光源９を用いる場合における動作周波数を、例えば家電品のリモコン等の赤外線通信に用いられる周波数帯や、他の機器の動作に影響を与える電磁ノイズを発生する可能性がある周波数帯のような、使用が望ましくない周波数帯を避けた動作周波数とする設計が容易となる。
【００４９】
（実施形態４）
本実施形態の基本構成は実施形態２と共通であるので、共通する部分については説明を省略する。
【００５０】
本実施形態では、図１９に示すように、駆動信号生成部１０５において、否定回路ＩＮＶ０１に対し、発振部１０３の出力をそのまま入力する代わりに、発振部１０３の出力と設定部１０８の出力とを入力とする論理積回路ＡＮＤ０１の出力を入力している。つまり、設定部１０８の出力がＬレベルである期間には、第２駆動信号はＬレベルに固定される。
【００５１】
さらに、駆動装置１には、独立したオペアンプである追加オペアンプＡＭＰ１０３が集積化されており、この追加オペアンプＡＭＰ１０３の非反転入力端子に接続された非反転側端子ＯＰｉｎ＋と、反転入力端子に接続された反転側端子ＯＰｉｎ−と、出力端子に接続された出力側端子ＯＰｏｕｔとが、それぞれ駆動装置１に設けられている。
【００５２】
以下、本実施形態を用いた照明装置について説明する。
【００５３】
まず、光源として放電灯Ｌａを用いる場合について、図２０を用いて説明する。なお、図２０の照明装置の基本構成は実施形態１で説明した図２の照明装置と共通であるので、共通する部分についての説明は省略する。
【００５４】
図２０の照明装置では、第２スイッチング素子Ｑ２とグランドとの間に、第２スイッチング素子Ｑ２に流れる電流を検出するための検出抵抗Ｒ１が接続されており、検出抵抗Ｒ１と第２スイッチング素子Ｑ２との接続点は抵抗Ｒ１０５を介して反転側端子ＯＰｉｎ−に接続されている。また、非反転側端子ＯＰｉｎ＋には、基準電圧端子Ｖｒｅｇから出力される基準電圧が分圧抵抗１０により分圧されて入力されている。さらに、出力側端子ＯＰｏｕｔは、コンデンサＣ１０５を介して反転側端子ＯＰｉｎ−に接続されるとともに、抵抗Ｒ１０６とアノードを発振制御端子Ｖｏｓｃに向けたダイオードＤ１０２とを介して発振制御端子Ｖｏｓｃに接続されている。すなわち、追加オペアンプＡＭＰ１０３は積分回路を構成している。そして、第２スイッチング素子に流れる電流（以下、「スイッチング電流」と呼ぶ）が多いほど、検出抵抗Ｒ１を流れる電流が多くなって反転側端子ＯＰｉｎ−への入力電圧が高くなり、追加オペアンプＡＭＰ１０３の出力電圧が低下して発振制御端子Ｖｏｓｃに流れる電流が増加することにより、動作周波数と共振回路４の共振周波数との差が大きくなって放電灯Ｌａへの出力電力が低下されることで、放電灯Ｌａへの出力電力を非反転側端子ＯＰｉｎ＋への入力電圧に応じた電力とするというフィードバック制御が達成される。すなわち、検出抵抗Ｒ１が請求項における電流検出手段を構成しており、本実施形態では反転側端子ＯＰｉｎ−が請求項における電流入力端子となっている。
【００５５】
次に、光源として放電灯Ｌａを用いる場合について、図２１を用いて説明する。なお、図２１の照明装置の基本構成は実施形態１で説明した図９の照明装置と共通であるので、共通する部分についての説明は省略する。
【００５６】
図２１の照明装置では、図９の照明装置に比べてダイオードＤ１が省略されているほか、直流点灯光源９とコンデンサＣ４との並列回路とグランドとの間に、直流点灯光源９に流れる電流（すなわちスイッチング素子Ｑ２の寄生ダイオードに流れるスイッチング電流）を検出する電流検出手段としての検出抵抗Ｒ２が接続されており、検出抵抗Ｒ２と上記並列回路との接続点は抵抗Ｒ１０７を介して反転側端子ＯＰｉｎ−に接続されている。また、非反転側端子ＯＰｉｎ＋には分圧抵抗１０による定電圧が入力され、出力側端子ＯＰｏｕｔはコンデンサＣ１０５を介して反転側端子ＯＰｉｎ−に接続されるとともに抵抗Ｒ１０６とアノードをデューティ制御端子Ｖｄｕｔｙに向けたダイオードＤ１０２とを介してデューティ制御端子Ｖｄｕｔｙに接続されている。すなわち、追加オペアンプＡＭＰ１０３は図２０の場合と同様に積分回路を構成している。これにより、直流点灯光源９への出力電力を非反転側端子ＯＰｉｎ＋への入力電圧に応じた電力とするというフィードバック制御が達成される。
【００５７】
なお、図２０の照明装置において、非反転側端子ＯＰｉｎ＋への入力電圧を一定とする代わりに可変とすることで、上記フィードバック制御の目標値としての放電灯Ｌａへの出力電力（すなわち放電灯Ｌａの光出力）を可変としてもよい。例えば、図２２に示すように、光出力を指示する電気信号である調光信号を外部から入力され、入力された調光信号により指示された光出力が高いほど高いオンデューティのＰＷＭ信号を出力する光出力制御回路１１と、光出力制御回路１１が出力したＰＷＭ信号を分圧及び平滑化することで上記光出力に応じた電圧値の直流電圧を生成して非反転側端子ＯＰｉｎ＋に入力する平滑回路１２とを設ける。図２２において、光出力制御回路１１は、基準電圧端子Ｖｒｅｇから電源を得ている。
【００５８】
（実施形態５）
本実施形態の基本構成は実施形態４と共通であるので、共通する部分については説明を省略する。
【００５９】
本実施形態では、図２３に示すように、第２制御部１０４と駆動信号生成部１０５とについては実施形態１と同様の構成とされており、すなわちデッドタイムｔｄは一定であって動作周波数が高いほどオンデューティが小さくなる構成となっている。
【００６０】
また、発振部１０３の充電用スイッチング素子Ｑｃのゲートは、実施形態３と同様に、ゲートが否定回路ＩＮＶ０２を介して設定部１０８に接続された第１切替スイッチング素子Ｑ１０６を介してグランドに接続されており、設定部１０８の出力がＬレベルである期間（つまり光源として直流点灯光源９が用いられる場合）には第１切替スイッチング素子Ｑ１０６がオンされることにより発振制御端子Ｖｏｓｃとグランドとの間の抵抗値は各駆動信号に影響を与えない。
【００６１】
また、第１駆動信号生成回路１０５ａは、第２駆動信号生成回路１０５ｂの前段の否定回路ＩＮＶ０１と同様に、論理積回路（以下、「第１論理積回路」と呼ぶ。）ＡＮＤ０１により発振部１０３の出力と設定部１０８の出力との論理積を入力されている。すなわち、設定部１０８の出力がＬレベルである期間には第１駆動信号生成回路１０５ａのスイッチング素子Ｑ１０５がオフ状態に維持されることにより第１駆動信号生成回路１０５ａの出力はＨレベルに固定される。さらに、第１駆動信号生成回路１０５ａの出力と設定部１０８の出力との論理積をとる第２論理積回路ＡＮＤ０２が、第１駆動信号生成回路１０５ａと駆動部１０６との間に設けられていることにより、設定部１０８の出力がＬレベルである期間には第１駆動信号生成回路１０５ａの出力は第１出力端子Ｈｏｕｔの出力に影響を与えない。また、実施形態４と同様に、第１論理積回路ＡＮＤ０１により、設定部１０８の出力がＬレベルである期間には第２駆動信号はＬレベルに固定されている。
【００６２】
さらに、駆動装置１は、設定部１０８の出力がＬレベルである期間に第１駆動回路１０６ａに入力される矩形波を生成するＲＳ型のフリップフロップ回路ＦＦ０１を備える。フリップフロップ回路ＦＦ０１の出力端子は、第２論理積回路ＡＮＤ０２の出力とともに第１論理和回路ＯＲ１を介して第１駆動回路１０６ａに入力されている。
【００６３】
また、駆動装置１には、図２４に示すように光源として直流点灯光源９を用いる照明装置の場合に第１スイッチング素子Ｑ１と直流点灯光源９との間に接続されるインダクタＬ２に設けられる二次巻線に誘導された電圧が入力されるゼロクロス入力端子Ｖｚｃが設けられている。さらに、駆動装置１は、非反転入力端子に所定の第７参照電圧Ｖｒｅｆ７が入力されるとともに反転入力端子がゼロクロス入力端子Ｖｚｃに接続されたコンパレータＣＰ１０４と、このコンパレータＣＰ１０４の出力がＬレベルからＨレベルに変化したときにパルス状の出力をフリップフロップ回路ＦＦ０１のセット端子に入力するワンショット部１０９とを備える。フリップフロップ回路ＦＦ０１のリセット端子には、発振部１０３の出力の否定回路ＩＮＶ０３による否定と設定部１０８の出力との論理和をとる第２論理和回路ＯＲ０２の出力が入力されている。
【００６４】
さらに、駆動装置１には、発振部１０３の発振用コンデンサＣ１０１に一方の入力端が接続され、他方の入力端には定電流源Ｉｒｅｆ３が接続され、各出力端子がそれぞれグランドに接続された第２放電用ミラー回路Ｍ１０５と、ｎチャネル型の電界効果トランジスタからなり定電流源Ｉｒｅｆ３と第２放電用ミラー回路Ｍ１０５との接続点とグランドとの間に接続された放電切替スイッチング素子Ｑ１０８と、フリップフロップ回路ＦＦ０１の出力と設定部１０８の出力との論理和を放電切替スイッチング素子Ｑ１０８のゲートに入力する第３論理和回路ＯＲ０３とを備える。
【００６５】
本実施形態の駆動装置１の構成のうち、実施形態１との相違点は、設定部１０８の出力がＨレベルとされている期間には動作に影響を与えないので、設定部１０８の出力がＨレベルとされている期間における本実施形態の動作は、実施形態１と共通である。
【００６６】
以下、図２４に示す照明装置に用いられた場合、つまり設定部１０８の出力がＬレベルとされている期間における本実施形態の駆動装置１の動作を説明する。なお、図２４の照明装置は、基本的には実施形態４で説明した図２１の照明装置と共通であるが、既に述べたようにインダクタＬ２に二次巻線が設けられてゼロクロス入力端子Ｖｚｃに接続されている点と、出力側端子ＯＰｏｕｔが抵抗Ｒ１０６とダイオードＤ１０２とを介して接続されている端子がデューティ制御端子Ｖｄｕｔｙではなく発振制御端子Ｖｏｓｃである点が異なる。
【００６７】
設定部１０８の出力がＬレベルとされている期間には、第１論理積回路ＡＮＤ０１の作用により第２駆動信号生成回路１０５ｂは機能せず第２駆動信号はＬレベルに固定され、第１論理積回路ＡＮＤ０１と第２論理積回路ＡＮＤ０２との作用により第１駆動信号生成回路１０５ａは機能せずフリップフロップ回路ＦＦ０１の出力の波形がそのまま第１出力端子Ｈｏｕｔの出力の波形となる。
【００６８】
動作開始直後、インダクタＬ２には電流が流れていないことにより、コンパレータＣＰ１０４の出力はＨレベルとなり、フリップフロップ回路ＦＦ０１の出力がＨレベルとなることで、第１スイッチング素子Ｑ１がオンされる。フリップフロップ回路ＦＦ０１の出力がＨレベルである期間には、放電切替スイッチＱ１０８がオンされることで第２放電用ミラー回路Ｍ１０５を介した放電は行われず、第２制御部１０４の動作により発振部１０３の発振用コンデンサＣ１０１の両端電圧が徐々に高くなる。やがて発振用コンデンサＣ１０１の両端電圧が第３参照電圧Ｖｒｅｆ３に達すると、コンパレータＣＰ１０１の出力すなわち発振部１０３の出力がＬレベルとなることで、否定回路ＩＮＶ０３から第２論理和回路ＯＲ０２への入力がＨレベルとなる。すると、第２論理和回路ＯＲ０２の出力がＨレベルとなるから、フリップフロップ回路ＦＦ０１の出力がＬレベルに変化し、第１スイッチング素子Ｑ１はオフされる。
【００６９】
フリップフロップ回路ＦＦ０１の出力がＬレベルである期間には、第３論理和回路ＯＲ０３の出力がＬレベルとなることで放電切替スイッチＱ１０８がオフされるから、第２放電用ミラー回路Ｍ１０５を介した放電により発振部１０３では発振用コンデンサＣ１０１の両端電圧が急速に低下する。これにより発振部１０３の出力はＨレベルとなり、フリップフロップ回路ＦＦ０１のリセット端子への入力はＬレベルとなる。さらに、第１スイッチング素子Ｑ１がオフされることで、インダクタＬ２に流れる電流が減少してインダクタＬ２の二次巻線に誘導電圧が発生するから、コンパレータＣＰ１０４の出力がＬレベルとなる。これにより、フリップフロップ回路ＦＦ０１のセット端子にパルスが入力され、フリップフロップ回路ＦＦ０１の出力がＨレベルとなり、第１スイッチング素子Ｑ１がオンされる。以下、同様の動作が繰り返されることにより、第１出力端子Ｈｏｕｔの電圧と、第２出力端子Ｌｏｕｔの電圧と、発振用コンデンサＣ１０１の両端電圧と、否定回路ＩＮＶ０３から第２論理和回路ＯＲ０２への入力電圧と、インダクタＬ２の二次巻線に誘導される電圧と、コンパレータＣＰ１０４の出力電圧と、ワンショット部１０９の出力と、インダクタＬ２に流れる電流とは、それぞれ図２５に示すような波形となる。なお、図２５の上から３段目において実線は発振用コンデンサＣ１０１の両端電圧を示すが、破線は発振部１０３の出力を生成するコンパレータＣＰ１０１の非反転入力端子への入力電圧を示す。
【００７０】
上記構成によれば、光源として直流点灯光源９が用いられ設定部１０８の出力がＬレベルとされる期間中に、インダクタＬ２に流れる電流が０となる期間の長さが非常に短くなる、いわゆる臨界導通モードでの動作となるから、インダクタＬ２に流れる電流が０となる期間が比較的に長くなる不連続導通モードで動作する場合に比べてスイッチング損失が増大しにくく、インダクタＬ２に常に電流が流れる連続導通モードで動作する場合に比べ、インダクタＬ２の小型化が可能であり、またスイッチング損失が増大しにくい。
【００７１】
（実施形態６）
本実施形態の基本構成は実施形態５と共通であるので、共通する部分についての説明は省略する。
【００７２】
本実施形態では、図２６に示すように、第１切替スイッチング素子Ｑ１０６と第２制御部１０４とが省略されている。つまり、設定部１０８の出力がＬレベルである期間にも、発振用コンデンサＣ１０１の充放電の速さ、すなわち発振部１０３の出力の周波数は、発振制御端子Ｖｏｓｃを流れる電流に応じたものとなる。
【００７３】
（実施形態７）
本実施形態は、実施形態６の駆動装置１を用いて構成された、図２７に示すような照明装置である。
【００７４】
本実施形態の基本構成は、実施形態４において図２２で説明した照明装置と共通であるので、共通する部分については説明を省略する。本実施形態では、光源として放電灯Ｌａだけでなく直流点灯光源９も接続可能であって、直流点灯光源９の接続の有無に応じて設定端子Ｖｓｅｌへの入力電圧が自動的に切り替えられる。詳しく説明すると、予熱回路５においてコンデンサＣ３がトランスＴ１よりもグランド側に接続されるとともに、コンデンサＣ３の両端に、それぞれ直流点灯光源９の一方ずつの端子が接続される端子ａ，ｂが設けられている。つまり、実施形態４において図２１で説明した照明装置のインダクタＬ２及びコンデンサＣ４として、予熱回路５を流用している。
【００７５】
また、図２１で説明した照明装置と同様に、コンデンサＣ３とグランドとの間には検出抵抗Ｒ２が接続され、コンデンサＣ３と検出抵抗Ｒ２との接続点は抵抗Ｒ１０７を介して駆動装置１の反転側端子ＯＰｉｎ−に接続されている。また、第１のスイッチング素子Ｑ１と第２のスイッチング素子Ｑ２との接続点は例えば抵抗のような適宜のインピーダンス１３ａを介して直流電源２に接続されている。
【００７６】
さらに、ｎチャネル型の電界効果トランジスタからなり設定端子Ｖｓｅｌとグランドとの間に接続された設定用スイッチング素子Ｑ１０９と、コンデンサＣ３とトランスＴ１との接続点に接続された直流点灯光源用の端子ａのグランドに対する電圧を分圧及び平滑して出力する負荷判別回路１３ｂとを備え、負荷判別回路１３ｂの出力端はツェナーダイオードＺＤ１を介して設定用スイッチング素子Ｑ１０９に接続されている。すなわち、直流点灯光源９が端子ａ，ｂに接続されているときには、直流点灯光源９が端子ａ，ｂに接続されていないときよりも、負荷判別回路１３ｂの出力電圧が低くなる。そして、スイッチング素子Ｑ１がオンオフ駆動される前において、直流点灯光源９が端子ａ，ｂに接続されているときには設定用スイッチング素子Ｑ１０９はオフされ、直流点灯光源９が端子ａ，ｂに接続されていないときには設定用スイッチング素子Ｑ１０９はオンされるように、負荷判別回路１３ｂとツェナーダイオードＺＤ１と設定用スイッチング素子Ｑ１０９とはそれぞれ選択されている。つまり、直流点灯光源９の接続の有無に応じて設定端子Ｖｓｅｌへの入力電圧が自動的に切り替えられる。
【００７７】
ここで、駆動装置１では設定端子Ｖｓｅｌの入力電圧の検出はスイッチング素子Ｑ１のオンオフ駆動が開始される前に行われており、スイッチング素子Ｑ１の動作開始後には設定部１０８の出力は変化しない。このような設定部１０８は例えばＲＳ型のフリップフロップ回路を用いて周知技術で実現可能であるので、詳細な図示並びに説明は省略する。
【００７８】
また、本実施形態における光出力制御回路１１は、外部から入力される調光信号に応じて動作するのではなく、光源の累積点灯時間を計時しており、光源の経年劣化に伴う光束の低下を光源への出力電力の増加によって補い、略一定の光束を維持するように、平滑回路１２への入力のオンデューティすなわち非反転入力端子ＯＰｉｎ＋への入力電圧を、累積点灯時間の増加に伴って徐々に変化させる。ここで、光束の低下と累積点灯時間との関係は放電灯Ｌａと直流点灯光源９とでは異なるので、光出力制御回路１１には負荷判別回路１３ｂの出力電圧が入力されており、光出力制御回路１１は負荷判別回路１３ｂからの入力電圧に基いて光源が放電灯Ｌａか直流点灯光源９かを判定するとともに判定結果に応じた動作を行う。つまり、光源が放電灯Ｌａであると判定されている場合（すなわち直流点灯光源９が接続されていない場合）には図２８に実線ＰＡで示すように出力電力の増加を比較的に速くし、光源が直流点灯光源９であると判定されている場合（すなわち直流点灯光源９が接続されている場合）には図２８に破線ＰＢで示すように出力電力の増加を比較的に遅くする。図２８において、横軸は累積点灯時間であり、縦軸は光源の定格電力に対する出力電力（目標値）の比（以下、「調光比」と呼ぶ。）である。また、図２８の例においては、光源が放電灯Ｌａと直流点灯光源９とのいずれであっても、調光比は最初は７０％とされており、累積点灯時間の増加に合わせて徐々に１００％まで上げられている。そして、調光比が１００％に達するタイミングは、光源が放電灯Ｌａと直流点灯光源９とのいずれであっても、累積点灯時間が光源の定格寿命に達するタイミングよりもやや遅くされている。
【００７９】
（実施形態８）
本実施形態の基本構成は実施形態７と共通であるので、共通する部分についての説明は省略する。
【００８０】
本実施形態では、予熱回路５を設ける代わりに、共振回路４において、放電灯Ｌａとコンデンサ（以下、「直列コンデンサ」と呼ぶ。）Ｃ２との直列回路に並列に接続されたコンデンサ（以下、「並列コンデンサ」と呼ぶ。）Ｃ１と、インダクタＬ１との回路に、予熱回路５の機能を持たせている。具体的には、図２９に示すように、インダクタＬ１には３個の二次巻線が設けられ、うち１個の二次巻線は一端がグランドに接続されて他端が抵抗Ｒ１０７を介して駆動装置１のゼロクロス入力端子Ｖｚｃに接続され、残り２個の二次巻線はそれぞれコンデンサとの直列回路として放電灯Ｌａの一方ずつのフィラメントの両端間に接続されている。また、並列コンデンサＣ１は検出抵抗Ｒ２を介してグランドに接続されており、並列コンデンサＣ１と検出抵抗Ｒ２との接続点が抵抗Ｒ１０７を介して駆動装置１の反転側端子ＯＰｉｎ−に接続されている。さらに、直流点灯光源９の一端が接続される端子ａは並列コンデンサＣ１と直列コンデンサＣ２との接続点に設けられ、直流点灯光源９の他端が接続される端子ｂ，ｇは、並列コンデンサＣ１と検出抵抗Ｒ２との接続点と、直列コンデンサＣ２と放電灯Ｌａとの接続点とにそれぞれ設けられている。すなわち、直流点灯光源９が接続された状態では、並列コンデンサＣ１と直列コンデンサＣ２との並列回路が、直流点灯光源９に対して並列に接続され、実施形態６における予熱回路５のコンデンサＣ５と同様の機能を果たす。
【００８１】
さらに、実施形態６では直流点灯光源９の接続の有無に応じて設定端子Ｖｓｅｌへの入力電圧が切り替えられていたのに対し、本実施形態は、放電灯用の端子ｃ〜ｆに対する放電灯Ｌａの接続の有無に応じて設定端子Ｖｓｅｌへの入力電圧が切り替えられるように構成されている。詳しく説明すると、負荷判別回路１３ｂは、直流点灯光源用の端子ａに接続される代わりに、適宜のインピーダンス１３ａを介して直流電源２に接続されるとともに、放電灯Ｌａの一方のフィラメントを介して検出抵抗Ｒ２に接続される。また、設定端子Ｖｓｅｌは、ツェナーダイオードＺＤ１に直接接続されている。
【００８２】
すなわち、放電灯Ｌａが接続されていなければ、設定端子Ｖｓｅｌへの入力電圧は第６参照電圧Ｖｒｅｆ６よりも高くなって設定部１０８の出力がＬレベルとなる。また、放電灯Ｌａが接続されていれば、放電灯Ｌａのフィラメントと検出抵抗Ｒ２との直列回路が負荷判別回路１３ｂに並列に接続される形となって負荷判別回路１３ｂの出力電圧が低下することにより、設定端子Ｖｓｅｌへの入力電圧は第６参照電圧Ｖｒｅｆ６よりも低くなって設定部１０８の出力がＨレベルとなる。
【００８３】
（実施形態９）
本実施形態の基本構成は実施形態７と共通であるので、共通する部分についての説明は省略する。
【００８４】
本実施形態の光出力制御回路１１は、実施形態４において図２２で説明した照明装置と同様に、外部から入力される調光信号に応じた出力を生成する。
【００８５】
さらに、本実施形態は、図３０に示すように、放電灯用の端子ｃ〜ｆに放電灯Ｌａが接続されているか否かを判定する放電灯検出回路１４を設けたものである。また、設定端子Ｖｓｅｌは、抵抗Ｒ１０８を介して基準電圧端子Ｖｒｅｇに接続されるとともに、２個の抵抗Ｒ１０９，Ｒ１１０の直列回路を介してグランドに接続されている。さらに、直流点灯光源９が接続されていないときに負荷判別回路１３ｂの出力によりオンされる設定用スイッチング素子Ｑ１０９は、一端がグランドに接続され、他端が上記２個の抵抗Ｒ１０９，Ｒ１１０の接続点に接続されている。また、一端が設定端子Ｖｓｅｌに接続され他端がグランドに接続された停止用スイッチング素子Ｑ１１０が設けられており、放電灯検出回路１４は、放電灯Ｌａが接続されていると判定した場合には停止用スイッチング素子Ｑ１１０をオンし、放電灯Ｌａが接続されていないと判定した場合には停止用スイッチング素子Ｑ１１０をオフする。さらに、駆動装置１は、図３１に示すように、非反転入力端子が設定端子Ｖｓｅｌに接続されるとともに反転入力端子に所定の第９参照電圧Ｖｒｅｆ９が入力された停止用コンパレータＣＰ１０５と、スイッチング回路３のスイッチング素子Ｑ１，Ｑ２のオンオフ駆動が開始される前に停止用コンパレータＣＰ１０５の出力がＨレベルであった場合にスイッチング素子Ｑ１，Ｑ２の駆動を停止させる停止制御部１１０とを備える。上記のような放電灯検出回路１４や停止制御部１１０は周知技術で実現可能であるので、詳細な図示並びに説明は省略する。
【００８６】
本実施形態の動作を説明する。直流点灯光源９が接続されておらず且つ放電灯Ｌａが接続されている期間には、停止用スイッチング素子Ｑ１１０がオンされることで、設定端子Ｖｓｅｌはグランドに接続され、設定部１０８の出力はＨレベルとなることで駆動装置１の動作は放電灯用の動作となり、停止制御部１１０は動作しない。
【００８７】
また、放電灯Ｌａが接続されておらず直流点灯光源９が接続されている期間には、停止用スイッチング素子Ｑ１１０と設定用スイッチング素子Ｑ１０９とがともにオフされる。すなわち、設定端子Ｖｓｅｌへの入力電圧が最も高くなり、設定部１０８の出力がＬレベルとなることで駆動装置１の動作は直流点灯光源用の動作となる。このとき、停止用コンパレータＣＰ１０５の出力はＨレベルとなるが、停止制御部１１０は、例えば図示しない論理積回路により、設定部１０８の出力がＬレベルである期間には動作しないように構成されている。
【００８８】
さらに、放電灯Ｌａと直流点灯光源９とがいずれも接続されていない期間には、停止用スイッチング素子Ｑ１１０がオフされ設定用スイッチング素子Ｑ１０９がオンされる。これにより、設定端子Ｖｓｅｌへの入力電圧は、基準電圧が抵抗Ｒ１０８，Ｒ１０９で分圧された、上記２個の期間の中間の電圧となる。このとき、設定部１０８の出力はＨレベルとなり、且つ、停止用コンパレータＣＰ１０５の出力がＨレベルとなるように、各参照電圧Ｖｒｅｆ６，Ｖｒｅｆ９と各抵抗Ｒ１０８，Ｒ１０９の抵抗値とはそれぞれ決定されている。従って、停止制御部１１０の動作により、スイッチング回路３の各スイッチング素子Ｑ１，Ｑ２の停止がなされる。
【００８９】
（実施形態１０）
本実施形態の基本構成は実施形態８と共通であるので、共通する部分についての説明は省略する。
【００９０】
本実施形態では、実施形態８に比べ、図３２に示すように、第２スイッチング素子Ｑ２とグランドとの間の抵抗Ｒ１及びこの抵抗Ｒ１と反転側端子ＯＰｉｎ−との間の抵抗Ｒ１０５がそれぞれ削除されている。
【００９１】
また、直流点灯光源９が接続される端子ａ，ｂ，ｇのうち、低電圧側となる２個の端子ｂ，ｇが専用に設けられる代わりに、放電灯用の端子ｃ，ｅが共用とされている。つまり、直流点灯光源９が接続された状態では、放電灯用の端子ｃ〜ｆのうち共用とされる２個の端子ｃ，ｅ間が短絡される。
【００９２】
さらに、並列コンデンサＣ１の一端が、直列コンデンサＣ２とインダクタＬ１との接続点ではなく、放電灯Ｌａに接続される端子ｃと直列コンデンサＣ２との間に接続されている。つまり、実施形態８では直流点灯光源９は並列コンデンサＣ１と直列コンデンサＣ２との並列回路に並列に接続される形となっていたのに対し、本実施形態では直流点灯光源９は直列コンデンサＣ２のみに対して並列に接続される形となり、直流点灯光源９が接続された状態では並列コンデンサＣ１の両端間は短絡される形となる。
【００９３】
放電灯Ｌａとともに共振回路４を構成する各回路部品が、駆動装置１等の他の回路部品とともに図３３に示すようなケース１５に収納される場合、ケース１５には、直流点灯光源専用の端子ａに電線を接続するための第１接続部１５ａと、放電灯Ｌａの一端側に接続される各端子ｅ，ｆにそれぞれ電線を接続するための第２接続部１５ｂと、放電灯Ｌａの他端側に接続される各端子ｃ，ｄにそれぞれ電線を接続するための第３接続部１５ｃとが設けられる。上記の各接続部１５ａ〜１５ｃは、それぞれ電線（図示せず）の一端が接続されるものであって、接続部１５ａ〜１５ｃとしては、周知の速結端子を用いてもよいし、電線の一端に設けられたプラグ（図示せず）が挿入接続されてプラグとともに周知のコネクタを構成するレセプタクル（図示せず）を用いてもよい。
【００９４】
上記のケース１５は、図３４に示すような器具本体１６ａに収納及び保持されて照明器具１６を構成する。図３４の照明器具１６は、直管型の放電灯Ｌａ及びこれに準じた形状の直流点灯光源９に対応したいわゆる富士山型のものである。詳しく説明すると、器具本体１６ａは全体として三角柱形状であって側面のうち１個を天井面等の取付面に向けて固定されるものであり、他の２個の側面はそれぞれ例えば白色とされることで放電灯Ｌａや直流点灯光源９の光を配光する。また、取付面に向けられる上記１個の側面の反対側の辺（稜線）の両端部には、それぞれ放電灯Ｌａの両端にそれぞれ設けられた口金（図示せず）が電気的且つ機械的に接続されるソケット１６ｂが設けられている。各ソケット１６ｂは第２接続部１５ｂと第３接続部１５ｃとの一方ずつに電気的に接続されており、放電灯Ｌａは各口金をそれぞれソケット１６ｂに接続されることで共振回路４の他の回路部品に電気的に接続される。
【００９５】
上記のような照明器具１６に接続される直管型の放電灯Ｌａにおいては、一方の口金には第２接続部１５ｂに対応する２個の端子ｅ，ｆに一対一に対応する２本の端子ピン（図示せず）が設けられ、他方の口金には第３接続部１５ｃに対応する２個の端子ｃ，ｄに一対一に対応する２本の端子ピン（図示せず）が設けられている。
【００９６】
そして、上記のような照明器具１６に接続される直流点灯光源９は、図３５に示すように直管型の放電灯Ｌａに準じた形状とされ各発光ダイオード９１がそれぞれ収納された円筒形状のケース９２を備える。ケース９２の軸方向の両端には、それぞれ、直管型の放電灯Ｌａの口金と同様に２本ずつの端子ピン９３ｃ〜９３ｆを有する口金９３が設けられている。端子ピン９３ｃ〜９３ｆのうち端子ｃ，ｅに接続されるべき２本の端子ピン９３ｃ，９３ｅは互いに短絡されるとともにそれぞれ発光ダイオード９１の直列回路の一端に接続されている。また、他の２本の端子ピン９３ｄ，９３ｆは発光ダイオード９１には電気的に接続されずソケット１６ｂへの機械的接続のみに用いられる。発光ダイオード９１の直列回路の他端を第１接続部１５ａに接続する手段としては、例えば周知のコネクタ（図示せず）を用いることができ、該コネクタにおいて照明器具１６側に保持される部品は器具本体１６ａに保持されてもよいしソケット１６ｂに保持されてもよい。上記のように放電灯Ｌａと直流点灯光源９とで接続用の構造の一部を共用とすれば、放電灯Ｌａと直流点灯光源９とで接続用の構造を共用としない場合に比べ、従来の一般的な放電灯Ｌａ専用の照明器具を直流点灯光源９に対応させるに当って必要な変更を小さくすることができる。
【００９７】
（実施形態１１）
本実施形態の基本構成は実施形態１０と共通であるので、共通する部分についての説明は省略する。
【００９８】
本実施形態では、図３６及び図３７に示すように、実施形態１０において反転側端子ＯＰｉｎ−に接続されていた抵抗Ｒ１０７が駆動装置１に集積化されている。これに伴い、駆動装置１には、コンデンサＣ１０５が接続される反転側端子ＯＰｉｎ−とは別に、抵抗Ｒ１０７に接続される電流検出端子ＣＳｉｎが設けられている。
【００９９】
さらに、駆動装置１においては、第２論理和回路ＯＲ０２が３入力とされており、一端が電流検出端子ＣＳｉｎに接続された抵抗Ｒ１１１と、この抵抗Ｒ１１１の他端に非反転入力端子が接続されるとともに反転入力端子に第１０参照電圧Ｖｒｅｆ１０が入力されたコンパレータＣＰ１０６とが追加されている。また、第２論理和回路ＯＲ０２は３入力とされて上記のコンパレータＣＰ１０６の出力を入力されている。すなわち、スイッチング電流の電流値が第１０参照電圧Ｖｒｅｆ１０に対応する所定値を上回ったときに、上記のコンパレータＣＰ１０６の出力及び第２論理和回路ＯＲ０２の出力がそれぞれＨレベルとなることで第１スイッチング素子Ｑ１がオフされる。これにより、例えば直流点灯光源９の両端間で短絡が発生した場合などであっても、スイッチング電流が過大となることを防ぐことができる。
【０１００】
ところで、駆動装置１において、第１スイッチング素子Ｑ１を駆動する第１駆動回路１０６ａは外付けされたコンデンサＣ１０３を電源としている。そして、第２スイッチング素子Ｑ２の寄生ダイオードと共振回路４とで構成されるループに電流が流れている期間には、第１スイッチング素子Ｑ１と第２スイッチング素子Ｑ２との接続点の電位（すなわち中間端子Ｈｇｎｄの電位。以下、「中間電位」と呼ぶ。）がほぼグランドに一致する。このように中間電位が電源端子Ｖｃｃの電位に対して充分に低い状態であれば、電源端子Ｖｃｃから駆動装置１に設けられたダイオードＤ１０１を流れる充電電流により、上記のコンデンサＣ１０３は充電される。しかしながら、実施形態５で説明したような直流点灯光源９が接続された状態での動作中には第２スイッチング素子Ｑ２がオフ状態に維持されるので、何らかの要因で、中間電位が電源端子Ｖｃｃの電位以上になると、上記の充電電流が流れなくなることで、上記のコンデンサＣ１０３の両端電圧が不足してしまうことが考えられる。そこで、図３８に示すように、直流点灯光源９が接続された状態の動作中、第１スイッチング素子Ｑ１がオフされている期間に、第２スイッチング素子Ｑ２が適宜オンされるようにしてもよい。この場合において、第１スイッチング素子Ｑ１のオンデューティに関わらず、第１スイッチング素子Ｑ１と第２スイッチング素子Ｑ２との同時オンが確実に避けられるように、第２スイッチング素子Ｑ２のオン制御のタイミングは第１スイッチング素子Ｑ１のオフ制御のタイミングよりも後とされるとともに、第２スイッチング素子Ｑ２がオン状態に維持される時間ｔｐは、第１スイッチング素子Ｑ１のオフ状態が維持される時間として想定される最短の時間に対して充分に短くされる。例えば、上記のコンデンサＣ１０３のキャパシタンスが０．１μＦであり、上記のコンデンサＣ１０３の充電経路の全体としてのインピーダンスの最大値が１０Ωであり、第１スイッチング素子Ｑ１のオンオフの周波数が４０ｋＨｚ（つまり周期が２５μｓ）程度となる場合、第２スイッチング素子Ｑ２がオン状態に維持される時間ｔｐは１μｓとする。上記のような動作は適宜の論理回路や遅延回路を駆動装置１に設けることで実現可能であるので、詳細な図示並びに説明は省略する。
【符号の説明】
【０１０１】
１  駆動装置
２  直流電源
３  スイッチング回路（請求項における点灯回路の一部）
４  共振回路（請求項における点灯回路の一部）
５  予熱回路（請求項における点灯回路の一部）
８  負荷回路（請求項における点灯回路の一部）
９  直流点灯光源
１０３  発振部
１０４  第２制御部（請求項における動作切換手段）
１０５ａ  第１駆動信号生成回路
１０５ｂ  第２駆動信号生成回路
１０６  駆動部
Ｃ１０１  発振用コンデンサ
Ｃ１０４  遅れ生成用コンデンサ
ＣＰ１０２  コンパレータ（請求項における出力回路）
ＣＳｉｎ  電流入力端子
Ｈｏｕｔ  第１出力端子
Ｉｒｅｆ１  定電流源（請求項における充放電回路の一部）
Ｌａ  放電灯
Ｌｏｕｔ  第２出力端子
ＯＰｉｎ−  反転側端子（請求項における電流入力端子）
Ｑ１  第１スイッチング素子
Ｑ２  第２スイッチング素子
Ｑ１０５  スイッチング素子（請求項における充放電回路の一部）
Ｒ１  検出抵抗（請求項における電流検出手段）
Ｒ２  検出抵抗（請求項における電流検出手段）
Ｖｓｅｌ  設定端子
【図１】
0005541934.tif 000002
【図２】
0005541934.tif 000003
【図３】
0005541934.tif 000004
【図４】
0005541934.tif 000005
【図５】
0005541934.tif 000006
【図６】
0005541934.tif 000007
【図７】
0005541934.tif 000008
【図８】
0005541934.tif 000009
【図９】
0005541934.tif 000010
【図１０】
0005541934.tif 000011
【図１１】
0005541934.tif 000012
【図１２】
0005541934.tif 000013
【図１３】
0005541934.tif 000014
【図１４】
0005541934.tif 000015
【図１５】
0005541934.tif 000016
【図１６】
0005541934.tif 000017
【図１７】
0005541934.tif 000018
【図１８】
0005541934.tif 000019
【図１９】
0005541934.tif 000020
【図２０】
0005541934.tif 000021
【図２１】
0005541934.tif 000022
【図２２】
0005541934.tif 000023
【図２３】
0005541934.tif 000024
【図２４】
0005541934.tif 000025
【図２５】
0005541934.tif 000026
【図２６】
0005541934.tif 000027
【図２７】
0005541934.tif 000028
【図２８】
0005541934.tif 000029
【図２９】
0005541934.tif 000030
【図３０】
0005541934.tif 000031
【図３１】
0005541934.tif 000032
【図３２】
0005541934.tif 000033
【図３３】
0005541934.tif 000034
【図３４】
0005541934.tif 000035
【図３５】
0005541934.tif 000036
【図３６】
0005541934.tif 000037
【図３７】
0005541934.tif 000038
【図３８】
0005541934.tif 000039